Podtech/llm-jp-corpus-v4-ja_patent huggingface dataset:
(57)【要約】      （修正有）【課題】従来の問題点に着目して為されたものであり、必ず頭髪がまとまった状態に装着でき、また頭頂部付近にある端部が顔の前に垂れ下がることがない頭髪吸水キャップを提供する。【解決手段】本体３を伸縮自在な一方側の開口端部５側から頭に被り、下方へ引き下げて首を通した状態にする。この状態から他方側の開口端部１１付近を持って引き上げる。一方側の開口端部５は伸縮自在に絞られているので、開口端部５は頭部に弾性的に接触した状態でずり上がることになる。これにより頭髪Ｈはいわば自動的に束ねられて本体３内に収まる。開口端部５が額の辺りまできたところで本体３を引き上げるのを止める。そして、上側となっている開口端部１１をまとめて細くし、紐９と本体３との間の隙間に差し込む。【選択図】図１
0003114102.tif 000002
【実用新案登録請求の範囲】
【請求項１】
吸水性の高い布地を人体の頭部に被ることのできる直径の筒状に形成した本体と、前記本体の一方側の開口端部を伸縮自在に絞る弾性体とからなる頭髪吸水キャップ。
【請求項２】
請求項１に記載した頭髪吸水キャップにおいて、本体の外周部には本体の伸縮自在な開口端部と反対側の端部を、細く絞って差し込む差し込み部を備えたことを特徴とする頭髪吸水キャップ。
【考案の詳細な説明】
【技術分野】
【０００１】
本考案は頭髪吸水キャップに係り、特に洗髪後等のように頭髪が濡れている状態で被る頭髪吸水キャップに関するものである。
【背景技術】
【０００２】
入浴時に洗髪した場合において、特に頭髪が長い者は、頭髪を短時間で乾かすことができないため、大きめのタオルを頭部に巻き付けるようにしている。
しかしながら、頭髪をまとめた状態でタオルを頭部に巻き付けないと、頭髪がタオルからはみ出してしまい煩わしいが、特に頭髪を長く伸ばした者にとっては、頭髪をまとめた状態でタオルを頭部に巻き付けるのはなかなか面倒で、上手くいかないことも少なくない。
また、タオルを頭部に巻き付けた場合、タオルの頭頂部付近にある端部が顔の前に垂れ下がってきて、不愉快な思いをすることもある。
【考案の開示】
【考案が解決しようとする課題】
【０００３】
本考案は上記従来の問題点に着目して為されたものであり、必ず頭髪がまとまった状態に装着でき、また頭頂部付近にある端部が顔の前に垂れ下がることがない頭髪吸水キャップを提供することを課題とする。
【課題を解決するための手段】
【０００４】
本考案は上記課題を解決するためになされたものであり、請求項１の考案は、吸水性の高い布地を人体の頭部に被ることのできる直径の筒状に形成した本体と、前記本体の一方側の開口端部を伸縮自在に絞る弾性体とからなる頭髪吸水キャップである。
【０００５】
請求項２の考案は、請求項１に記載した頭髪吸水キャップにおいて、本体の外周部には本体の伸縮自在な開口端部と反対側の端部を、細く絞って差し込む差し込み部を備えたことを特徴とする頭髪吸水キャップである。
【考案の効果】
【０００６】
本考案の頭髪吸水キャップによれば、ごく簡単に、しかも必ず頭髪がまとまった状態に装着できる。
また頭頂部付近にある端部が顔の前に垂れ下がることがなく、不愉快な思いをすることもなくなる。
【考案を実施するための最良の形態】
【０００７】
本考案の実施の形態に係る頭髪吸水キャップ１を図面にしたがって説明する。
符号３は本体を示し、この本体３は吸水性の高いタオル地によって構成され、人体の頭部に被ることができる直径の円筒状に形成されている。本体３の一方側の開口端部５には弾性体としてのゴム紐７が取り付けられており、このゴム紐７によって開口端部５は伸縮自在に絞られている。
また本体３の外周部の４箇所には、紐９がそれぞれ縫い付けられている。この紐９はその両端部だけが本体３に縫い付けられており、紐９と本体３との間には差し込み部としての隙間が開くようになっている。
【０００８】
次に、この頭髪吸水キャップ１の使用方法について説明する。
先ず、本体３を伸縮自在な一方側の開口端部５側から頭に被り、下方へ引き下げて首を通した状態にする。この状態から他方側の開口端部１１付近を持って引き上げる。上記のように一方側の開口端部５は伸縮自在に絞られているので、開口端部５は頭部に弾性的に接触した状態でずり上がることになる。これにより頭髪Ｈはいわば自動的に束ねられて本体３内に収まる。開口端部５が額の辺りまできたところで本体３を引き上げるのを止める。そして、上側となっている開口端部１１をまとめて細くし、紐９と本体３との間の隙間に差し込む。
【０００９】
このように、頭髪吸水キャップ１によれば、ごく簡単に頭髪Ｈをまとめた状態で本体３に収めることができる。また、開口端部５は紐９と本体３との間の隙間に差し込まれた状態に保持されるので、邪魔になることはない。
【００１０】
以上、本考案の実施の形態について詳述してきたが、具体的構成は、この実施の形態に限られるものではなく、本考案の要旨を逸脱しない範囲における設計の変更などがあっても考案に含まれる。
【図面の簡単な説明】
【００１１】
【図１】本考案の実施の形態に係る頭髪吸水キャップの斜視図である。
【図２】図１の頭髪吸水キャップの使用法を説明するための図である。
【図３】図１の頭髪吸水キャップの使用法を説明するための図である。
【図４】図１の頭髪吸水キャップの使用法を説明するための図である。
【図５】図１の頭髪吸水キャップの使用法を説明するための図である。
【符号の説明】
【００１２】
１  頭髪吸水キャップ      ３  本体
５  開口端部      ７  ゴム紐
９  紐          １１  開口端部
Ｈ  頭髪
【図１】
0003114102.tif 000003
【図２】
0003114102.tif 000004
【図３】
0003114102.tif 000005
【図４】
0003114102.tif 000006
【図５】
0003114102.tif 000007
(57)【要約】【課題】  フィット性の高いベビースリングを提供する。【解決手段】  長尺のシート(11)を環状に形成したベビースリング(1)において、シート(1)の幅方向の両縁部が中間部よりも縮小されていることを特徴とする。縮小手段の一例はタック(13)である。【選択図】    図２
0003114142.tif 000002
【実用新案登録請求の範囲】
【請求項１】
シートを環状に形成したベビースリングにおいて、シートの幅方向の両縁部が中間部よりも縮小されていることを特徴とするベビースリング。
【考案の詳細な説明】
【技術分野】
【０００１】
この考案は、幼児をだっこやおんぶする際の抱持補助具として用いられるベビースリングに関する。
【背景技術】
【０００２】
ベビースリングは長尺の布を環状に形成した抱持補助具であり、使用者の一方の肩にたすき掛けにし、幼児の身体を包み込むようにして保持するものである。このようなベビースリングは、２本の肩ベルトによるリュック式ベビーキャリアに比べると構造が単純で使用方法が簡単であり、また軽量で携帯時に嵩張らない点が好まれている（特許文献１〜３参照）。
【特許文献１】実開平１−９２８６２号公報
【特許文献２】実開平７−１４９２１号公報
【特許文献３】特開２００３−４７５４２号公報
【考案の開示】
【考案が解決しようとする課題】
【０００３】
しかしながら、平面的な布で幼児を包み込むベビースリングでは、幼児の身体に対するフィット性が悪いという問題があった。
【課題を解決するための手段】
【０００４】
本考案のベビースリングは、上述した現状に鑑み、フィット性の高いベビースリングを提供するものである。
【０００５】
即ち、本考案のベビースリングは、長尺のシートを環状に形成したベビースリングにおいて、シートの幅方向の両縁部が中間部よりも縮小されていることを特徴とする。
【考案の効果】
【０００６】
本考案のベビースリングは、両縁部が中間部よりも縮小されていることで中間部にゆとりが生じて立体的になる。このため、幼児の幼児の身体により良くフィットして抱持状態の安定性が向上する。
【考案を実施するための最良の形態】
【０００７】
図１に、本考案にかかるベビースリングの一実施形態を示す。
【０００８】
環状のベビースリング(1)を展開すると、長尺のシート(11)の長手方向の一端部に２個の連結用リング(12)(12)が取り付けられた長尺体となる。
【０００９】
前記シート(11)は織布等の非伸縮性の長方形の布帛で構成され、長さ方向の中間領域において、幅方向の両縁部の各３箇所にタック(13)をとって縫製され、両縁部が中間部よりも縮小されている。
【００１０】
図２に示すように、前記シート(11)の他端部を２個のリング(12)(12)間に通してリング(12)(12)間に拘束することによって環状体とし、ベビースリング(1)内に幼児(10)を収容して使用者の肩にかける。前記環状体の直径はシート(11)の拘束位置を加減することによって無段階で調節できる。
【００１１】
前記ベビースリング(1)は、シート(11)の両縁部のタック(13)によって幅方向の中間部にゆとりが生じて立体的になり、幼児の身体により良くフィットして抱持状態の安定性が向上する。
【００１２】
本考案のベビースリング(1)において、シート(11)の素材は非伸縮性の布帛に限定されず、メッシュやネットのような穴あき素材を用いることもできる。あるいは非伸縮性の布帛と穴あき素材を組み合わせることもできる。
【００１３】
また、シート(11)の幅方向の両縁部を縮小させる手段は図示例のタック(13)に限定されないし、タックの数も限定されない。その他の手段として、ギャザー、ダーツ、いせ込み等を例示できる。非伸縮性の布帛を用いる場合はタック、ギャザー、ダーツが適している。また、地の目に融通の利くメッシュやネットを用いる場合はいせ込み、ギャザー、タックが適している。
【００１４】
また、縮小させる領域は幼児の収容部分のみで良く、シート(11)の長さ方向の中間領域のみを縮小させれば良い。シート(11)は幼児の重みによっても丸くなるので、幼児を収容しない状態で完全に立体化させるような縫製は必要なく、少量の縮小であっても十分にフィット性を高めることができる。
【００１５】
なお、本考案のベビースリングは、長方形のシート(11)をリング(12)等の係合具を用いて環状体とするものに限定されず、シートを環状に縫製したものも本考案に含まれる。
【図面の簡単な説明】
【００１６】
【図１】本考案のベビースリングの一実施形態の展開状態を示す斜視図である。
【図２】図１のベビースリングを用い、だっこした状態を示す斜視図である。
【符号の説明】
【００１７】
１…ベビースリング
11…シート
13…タック
【図１】
0003114142.tif 000003
【図２】
0003114142.tif 000004
(57)【要約】      （修正有）【課題】観察者側への表現も明確であり、さらに数々の美術的な表現の展開により同眼鏡の更なる付加価値の増大が期待できる陰刻調彫刻の提供。【解決手段】本考案を施すにあたり眼鏡のレンズ面の大型化したものへの採用か、又はレンズの大きさに規制のなし  眼鏡において支障をきたさない大きさに拡大させるか、或いは、下部や上部に枠のないものを拡大改良することで、縁側の視界から離れる部位を確保することで解決するものと思われる。【選択図】図１
0003114191.tif 000002
【実用新案登録請求の範囲】
【請求項１】
眼鏡レンズ外縁の鑑賞者側から見て背面縁側となる眼鏡レンズ面を陰刻調に彫刻し、細部にわたり細かな彫刻を施す事によって外部から光があたった時に陰刻模様に陰影効果を施したことを特徴とする絵模様彫刻レンズ。
【請求項２】
眼鏡レンズ外縁の鑑賞者側から見て表面縁側となる眼鏡レンズ面を陰刻調に彫刻し、色彩
飾施すことでレンズ正面からの立体感、鮮やかな彩色による視覚的装飾効果を高める事を目的とするもの。
【考案の詳細な説明】
【技術分野】
【０００１】
本考案は眼鏡レンズに係り、眼鏡レンズ外縁の表面又は裏面を陰刻調に彫刻し、又はさらに色彩装飾を施すことによって表面からの立体感、鮮やかな彩色による視覚的装飾効果を高める事を目的とするものである。
【背景技術】
【０００２】
従来の眼鏡はフレームのみの装飾で付加価値を高めるものが一般的である。しかしながらこの限られた範囲で装飾等の付加価値には限界があり、なお且つ観察者側からの訴求には些かの表現不足であることは否定できない。この発明は観察者側への表現も明確であり、さらに数々の美術的な表現の展開が期待できるものである。
【考案の開示】
【考案が解決しようとする課題】
【０００３】
本考案は眼鏡光学レンズ上の限られた範囲で彫刻するものであるから、レンズの光学中心からいかに
離れた場所を確保するかが課題である。また、色彩装飾については長期使用による環境悪化に対応できる
塗料の使用が必要であろうと思われる。
【課題を解決するための手段】
【０００４】
本考案を施すにあたり眼鏡のレンズ面の大型化したものへの採用か、又はレンズの大きさに規制のなし  眼鏡において支障をきたさない大きさに拡大させるか、或いは、下部や上部に枠のないものを拡大改良することで、縁側の視界から離れる部位を確保することで解決するものと思われる。
【０００５】
請求項２における色彩装飾の長期使用における環境上の悪化については合成樹脂系の染料を使用することで解決されるものと思われる。    
【考案の効果】
【０００６】
従来の眼鏡はフレームのみの装飾で付加価値を高めるものが一般的である。この発明は観察者側への表現も明確であり、さらに美術的な表現の展開により同眼鏡の更なる付加価値の増大を期待できるものである。
【考案を実施するための最良の形態】
【０００７】
（図５）で示すように複数の柄の組み合わせにより又は、（図２）の色彩装飾を組み合わせることのより
更に豊かな表現が期待でき、眼鏡という物品的な価値から美術的な価値へと進化していくものであろう。
【実施例１】
【０００８】
（図１）のように眼鏡レンズの縁側片側又は両側の視界から離れる部位に施したものである。
【図面の簡単な説明】
【０００９】
【図１】本考案による陰刻調彫刻レンズの一実施例を示した概略図である。
【図２】請求項２の眼鏡レンズ外縁の鑑賞者側から見て表面となる眼鏡レンズ面を陰刻調に彫刻し、色彩装飾を施すことによってレンズ正面からの立体感、鮮やかな彩色による視覚的装飾効果を高める事を目的とする色彩装飾を施した一実施例を示した概略図である。
【図３】請求項１の眼鏡レンズ面を陰刻調に彫刻し、細部にわたり細かな彫刻を施したレンズを示した側面図である。
【図４】請求項２の眼鏡レンズ外縁の鑑賞者側から見て表面となる眼鏡レンズ面を陰刻調に彫刻し、色彩装飾を施すことによってレンズ正面からの立体感、鮮やかな彩色による視覚的装飾効果を高める事を目的とする色彩装飾を施した眼鏡レンズを示した側面図である。
【図５】請求項１の眼鏡レンズ面を陰刻調に彫刻し、細部にわたり細かな彫刻を施した一実施例を示したレンズの正面図である。
【符号の説明】
【００１０】
１  陰刻調に彫刻し色彩装飾した部位
２  レンズ側面から見た背面に陰刻彫刻した図
３  レンズ側面から見た表面に陰刻彫刻した図
４  レンズ表面から見た背面に陰刻彫刻し浮き彫りに見える図
【図１】
0003114191.tif 000003
【図２】
0003114191.tif 000004
【図３】
0003114191.tif 000005
【図４】
0003114191.tif 000006
【図５】
0003114191.tif 000007
(57)【要約】【課題】製造コストを抑えると同時に、温性や剛性に優れる浴槽の蓋を提供する。【解決手段】内部空洞を呈したプラスチック板４０を設け、該板４０内部には複数の補強リブ４１を設け、更に空洞若しくは中身の詰まった該補強片５０を該板４０の四周に設け、更にエッジ６０で該蓋４０の四周を包囲する。【選択図】        図４
0003114119.tif 000002
【実用新案登録請求の範囲】
【請求項１】
板、該板四周に設ける補強片、及びエッジより構成される浴槽の蓋において、
内部が空洞を呈し、中間には複数の補強リブが設けられる該板と、
剛性を高めるべく該板の四周より空洞部に嵌合されるものであり、空洞若しくは中身が詰まった棒状を呈した該補強片と、
棒状を呈しており、該板の四周を包囲して全体を完成させる該エッジと、
を具有することにより、蓋の剛性を高めると同時に浴槽内の水温により変形を来たすのを防止しすることで蓋と浴槽間の気密性を高め、浴槽内の湯に優れた保温効果を提供することを特徴とする浴槽の蓋。
【考案の詳細な説明】
【技術分野】
【０００１】
本考案は浴槽の蓋に係り、特に浴槽上に設置し、浴槽内の湯の温度が下がるのが効果的に防止する浴槽の蓋に関わる。
【背景技術】
【０００２】
浴槽内の湯が冷めるのを防止するべく、従来では図１から図３に示すような浴槽の蓋で保温効果を提供しているが、こういった蓋には発泡スチロール１０を主体とし、該発泡スチロール１０上下各面にはプラスチック（あるいはアルミ）板２０が貼設され、四周をエッジ３０で覆う構造が主流となっている。
【考案の開示】
【考案が解決しようとする課題】
【０００３】
しかし上述のような浴槽の蓋は、その構造から剛性に劣り、水温により変形を来たし易く、浴槽と蓋との間に隙間ができて温度が逃げ易くなり、また発泡スチロールとプラスチックの板とを貼り合わせる作業にも人件費がかかる等、改善の余地がまだあることが言える。
上述の欠点に鑑み、製造コストを抑えると同時に保温性や剛性に優れる本考案の浴槽の蓋を提供する。
【課題を解決するための手段】
【０００４】
内部空洞を呈したプラスチック板を設け、該板内部には複数の補強リブを設け、更に空洞若しくは中身の詰まった該補強片を該板の四周に設け、更にエッジで該蓋の四周を包囲する。
【考案の効果】
【０００５】
本考案によると、板の内部が空洞を呈していることで優れた断熱効果、つまり浴槽内の湯を効果的に保温し、また板内に設けた補強リブにより剛性が高められたと同時に熱による蓋の変形が防止され、蓋と浴槽との密閉性が高められて保温効果を確実なものにし、また製造においては一体成形、組み立ての際は接着及び嵌合のみと容易でコストも最低限に抑えられ、廃棄処理も補強片を取り除くのみで環境保護に対応したものとなる等、多くの利点を提供することに成功した。
【考案を実施するための最良の形態】
【０００６】
図４から図６に示すように、本考案は主に板４０を含み、該板４０四周の補強片５０、エッジ６０を含む。
該板４０は内部が空洞を呈したプラスチック板であり、該板４０内には一体成形により補強リブ４１が形成される。
該補強片５０においては、内部が空洞を呈しているもの、若しくは中身の詰まったものとし、材質はグラスファイバー強化プラスチック、或いはカーボンファイバープラスチック等、若しくはアルミやステンレス等で一体成形されたものであり、形状においては方形、円形、若しくは任意の形状を呈したものとする。該補強片５０は少なくとも該板４０四周の該板４０上下間に嵌合されることで、浴槽の蓋の剛性を高めるものとする。
該エッジ６０においては、細長い形状を呈しており、弾力を具有するプラスチック等により形成され、該エッジ６０で該板４０の四周を包囲することで浴槽の蓋を完成させる。
【図面の簡単な説明】
【０００７】
【図１】公知における浴槽の蓋の立体図である。
【図２】公知における浴槽の蓋の平面図である。
【図３】図２におけるI-Iによる断面図である。
【図４】本考案における立体分解図である。
【図５】本考案における平面図である。
【図６】図５におけるII-IIによる断面図である。
【符号の説明】
【０００８】
１０  発泡スチロール板
２０  プラスチック板（或いはアルミ板）
３０  エッジ
４０  板
４１  補強リブ
５０  補強片
６０  エッジ
【図１】
0003114119.tif 000003
【図２】
0003114119.tif 000004
【図３】
0003114119.tif 000005
【図４】
0003114119.tif 000006
【図５】
0003114119.tif 000007
【図６】
0003114119.tif 000008
(57)【要約】【課題】ボールペンの頭部で伝票をめくるようにする。【解決手段】ボールペンのノック部１にゴム片２を張り付ける。ゴム片の表面には、複数の小突起２ａを形成する。【選択図】図１
0003114122.tif 000002
【実用新案登録請求の範囲】
【請求項１】
ボールペンの頭部を紙面に擦りつけたとき滑りにくいように、該頭部に摩擦面を形成したボールペン。
【請求項２】
ノック式ボールペンのノック部を紙面に擦りつけたとき滑りにくいように、該ノック部に摩擦面を形成したボールペン。
【請求項３】
該頭部または該ノック部にゴム片を張り付けて該摩擦面を形成した請求項１または２に記載のボールペン。
【考案の詳細な説明】
【技術分野】
【０００１】
この考案は、伝票などのページをめくる機能を有するボールペンに関する。
【背景技術】
【０００２】
商品発送作業においては、商品と伝票を付き合わせるため頻繁に伝票をめくる必要がある。しかし、たいていの場合、手に軍手等作業手袋をはめているので、素手でもめくりにくい伝票がいっそうめくりにくく、作業能率が悪いという問題がある。
【考案の開示】
【考案が解決しようとする課題】
【０００３】
この考案は、ボールペンに紙めくり機能を持たせて、商品発送作業を行い易くすることを課題とする。
【課題を解決するための手段】
【０００４】
この考案のボールペンは、ボールペンの頭部を紙面に擦りつけたとき滑りにくいように、該頭部に摩擦面を形成したものである（請求項１）。伝票などのページをめくるときは、頭部摩擦面を紙面に擦りつけるようにする。こうすれば頭部摩擦面が紙を逃さないようにしっかりグリップするので、ページを確実にめくることができる。
【０００５】
ボールペンにも様々なタイプがあるが、中でも、ノック式はペン先の出し入れが片手ででき、人気がある。ノック式ボールペンの場合は、ノック部（指で押す部分）に摩擦面を形成する（請求項２）。
【０００６】
摩擦面を形成するには、ゴム片を貼り付けるのがもっとも確実である（請求項３）。滑り止め効果を増すために、滑り止め用指サックに見られるように、ゴムの表面に小さなイボ（突起）をたくさん設けるのもよい。
【考案を実施するための最良の形態】
【０００７】
図に示すボールペンはノック式のもので、ノック部１を押すごとにペン先３が出たり、引っ込んだりするように構成されている。図１はペン先が引っ込んだ状態を示す。このノック部１にゴム片２を張り付ける。ゴム片の表面（摩擦面）には、複数の小突起２ａを形成してある（図２）。
【０００８】
伝票４をめくるときは、図３に示すように、ボールペンを逆さまに持ち、ノック部１のゴム面２を最上層の紙６に擦りつけるようにして外側に動かす。こうすると、最上層の紙６はノック部ゴム面にグリップされて外側に引きずられ、ページが確実に開く。
【０００９】
なお、ゴム片２はノック部１を指で押すときに何の支障にもならないので、このペンは普通のボールペンと同じように使用することができる。
【図面の簡単な説明】
【００１０】
【図１】ボールペンの立面図である。
【図２】ボールペンの部分斜視図である。
【図３】使用状態図である。
【符号の説明】
【００１１】
１    ノック部
２    ゴム片
２ａ  突起
３    ペン先
４    伝票
５    紙
【図１】
0003114122.tif 000003
【図２】
0003114122.tif 000004
【図３】
0003114122.tif 000005
(57)【要約】【課題】    従来技術に係わるカラーボックス、ラック等（商品名）はただの物入れに過ぎない、本考案は現代の住宅事情、狭い部屋の生活を強いられる人達にとって鏡を付ける事によって物入れプラス鏡台、姿見として活用できて家族にとっても大変嬉しい鏡付収納棚である。【解決手段】引き出し収納スタイルの鏡を有する収納棚であって、棚板の下の空間を利用し、鏡の機能をプラスした鏡付収納棚である。鏡オープン図としては天板棚の上に立ち上げる第１の形態スタイルと下え吊り下げる第２の形態スタイルがありともに収納は水平に回転して引き出しのように押し込んで収納する。【選択図】        図１
0003114833.tif 000002
【実用新案登録請求の範囲】
【請求項１】
棚板の下部の空間を利用し、引き出し状に鏡を収納し必要な時に引き出して上方に立てると鏡部が正面に出る鏡付収納棚。
【請求項２】
棚板の下部の空間を利用し、引き出し状に鏡を収納し必要な時に引き出して下方に倒すと鏡部が正面に出る鏡付収納棚。
【請求項３】
鏡部は収納時の一番奥側の左右両側に一対の突起を設け、両側の立て板の溝をスライドする請求項１または２に記載の鏡付収納棚。
【請求項４】
鏡部の収納時の落下防止のために左右両側の立て板の溝の一番手前直ぐ下方に突起を設けた請求項１から３のいずれかに記載の鏡付収納棚。
【請求項５】
鏡部を上方に立てる時は鏡部が前に倒れるのを防止するために天棚板の設定位置を鏡部が１００度程度回転してもたれるようにする鏡付収納棚。
【請求項６】
棚数は２段以上であってその下から２段目以上の棚板のすべての下部に鏡を取り付けることが可能な請求項１から５のいずれかに記載の鏡付収納棚。
【考案の詳細な説明】
【技術分野】
【０００１】  本考案は、一般家庭で使用されているカラーボックス、ラック等（商品名）収納棚に関する。
【背景技術】
【０００２】  従来のカラーボックス、ラック等（商品名）はただ単に簡単な収納棚である。【０００３】  機能としては整理もの入れの範囲以外の何物でもない。
【考案の開示】
【考案が解決しようとする課題】
【０００４】  上述の如く、従来技術に係わるカラーボックス、ラック等（商品名）はただの物入れに過ぎない。【０００５】  現代の住宅事情、狭い部屋の生活を強いられる人達にとって鏡を付けることによって物入れプラス鏡台としても利用できて家族にとって大変便利である。
【課題を解決するための手段】
【０００６】  上述の目的を達成する本考案の鏡付収納棚は、棚板の下部の空間を利用し引き出し状に鏡を収納し必要に応じて引き出して上方に上げる、又は下方に下げることで鏡がセットできる。【０００７】  鏡部は収納状態の時向かって一番奥の左右両側に一箇所ずつ突起をつけ、これに合う溝を両側の縦板に設けることで前後のスライド運動を容易にする。【０００８】  鏡部の収納時の落下防止のために左右両側の溝の手前寄り直ぐ下に突起部を設ける。【０００９】  鏡を上方に立てる時は手前に倒れるのを防止する為に天棚板を少し控えて鏡部が棚板にもたれて斜めに立つようにする。【００１０】  鏡付収納棚の棚数は何段でも可能であり、収納鏡数も何個でも全棚えの取付けも可能である。
【考案の効果】
【００１１】  以上説明したように本考案によれば鏡付収納棚はおばあちゃん、子供に、そして私とそれぞれ各個人専用で置ける程安価で便利な物入れ、本箱、鏡台と機能をたかめ、こたつの横に置いての利用も出来お部屋のスペースの有効な活用ができる。
【考案を実施するための最良の形態】
【００１２】  以下本考案の実施の形態を図面に基づき詳細に説明する。【００１３】  図１〜図４は本考案の請求項１の実施の形態に係わり、図１はその外観斜視図図２はその中央部の縦断面図、図３は鏡部をオープンした状態の正面図、図４は鏡部を収納した状態の縦断面図である。【００１４】  図５〜図８は本考案の請求項２の実施の形態に係わり、図５はその外観斜視図図６はその中央部の縦断面図、図７は鏡部をオープンした状態の正面図、図８は鏡部を収納した状態の縦断面図である。【００１５】  図Ｉ、図５に示すように、本鏡付収納棚は収納出来る鏡を有したカラーボックス、ラック等（商品名）収納棚である。【００１６】  本鏡付収納棚の鏡部１は左右縦板４，５、に設けたスライド用の溝６を鏡部に設けたスライド用突起部８が前後にスライドする。【００１７】  本鏡付収納棚の鏡部は一杯に水平に引き出した状態で上に上げ図２となる。【００１８】  本鏡付収納棚の鏡部は一杯に水平に引き出した状態で下に下げ図６となる。【００１９】  本鏡付収納棚の鏡部の収納は左右の縦板に設けた鏡部落下防止突起７と鏡部のスライド用突起左右２個、計４箇所が支点となり水平に収める事が出来る。【００２０】  以上述べたように本鏡付収納棚はシンプルで組み立てがかんたんである。
【図面の簡単な説明】
【００２１】
【図１】  本考案の第１の形態に係わる鏡付収納棚の外観斜視図である。
【図２】  図１の鏡付収納棚の中央部の縦断面図である。
【図３】  図１の鏡付収納棚の正面図である。
【図４】  図１の鏡部収納図の縦断面図である。
【図５】  本考案の第２の形態に係わる鏡付収納棚の外観斜視図である。
【図６】  図５の鏡付収納棚の中央部の縦断面図である。
【図７】  図５の鏡付収納棚の正面図である。
【図８】  図５の鏡部収納図の縦断面図である。
【符号の説明】
【００２２】  １，１０      鏡部
２            天棚板（棚板）
３            中棚板（棚板）
４，５        左右側縦板
６            スライド溝
７            落下防止突起部
８            スライド用突起部
９            背面板
【図１】
0003114833.tif 000003
【図２】
0003114833.tif 000004
【図３】
0003114833.tif 000005
【図４】
0003114833.tif 000006
【図５】
0003114833.tif 000007
【図６】
0003114833.tif 000008
【図７】
0003114833.tif 000009
【図８】
0003114833.tif 000010
(57)【要約】【課題】この考案は、道具を寝かせて収納する単なる箱状の道具箱が有する整理整頓がしにくく、必要な道具を取り出す場合にも不便なことが多いという欠点を解消する。【解決手段】この考案は、多種多様かつ多数の道具を、それぞれが接触した状態で上下に重なることがないように収納することができる、所定の位置に分別して収納することができる、安定した状態で保持することができる、必要とする道具をスムーズに取り出すことができる、持ち運びできる程度の大きさである、という条件を満たす構造の道具箱を実現するため、道具を立てた状態で保持するホルダー及びフックを道具箱内に設けたことを主な特徴とする。【選択図】図４
0003114838.tif 000002
【実用新案登録請求の範囲】
【請求項１】
上から差し込まれる道具を受け止めるホルダー及び道具をぶら下げて保持するフックを備えることによって、多種多様の道具を立てた状態で分別収納できるようにした道具箱。  
【請求項２】
請求項1の特徴を有する道具箱２個（箱Ａ及び箱Ｂ）を、ａ.使用しないときは、箱Ａの内部に箱Ｂを引き込むことができる、ｂ.使用するときは、箱Ｂを箱Ａから水平方向に引き出すことができる、ｃ.箱Ｂの上部に設けたトレーに小物を入れることができる、ｄ.
箱Ａ及び箱Ｂのホルダー、フック及びトレーは、箱Ｂを箱Ａから引き出すとき又は箱Ａの内部に押し込むときに、収納してある道具が衝突しないように配置されている、ｅ.箱Ｂを押し込んだ状態で上から蓋をした後は、箱Ｂが箱Ａから飛び出さないように固定することができる、という条件を満たすように組み合わせた構造の道具箱。
【考案の詳細な説明】
【技術分野】
【０００１】
この考案は、多種多様の道具を分別して収納できるとともに、必要な道具をスムーズに取り出せるようにした構造の道具箱に関するものである。
【背景技術】
【０００２】
道具を寝かせた状態で収納する単純な箱状の道具箱には、収納する道具が多い場合に道具が上下に重なってしまうため必要な道具を取り出す場合に不便であり、重ならないように収納するためには広い底面を必要とするという欠点がある。
【考案の開示】
【考案が解決しようとする課題】
【０００３】
この考案は、道具を寝かせて収納する道具箱が有するところの、整理整頓がしにくく、必要な道具を取り出す場合にも不便なことが多いという欠点を解消するものである。
【課題を解決するための手段】
【０００４】
この考案による道具箱は、ペンチ、ドライバー、ノコ、金槌、ノミ、カンナ、スパナ、電動ドライバー、電動ドリル等の多種多様の道具を、それぞれが接触した状態で上下に重ならないように収納できること、所定の位置に分別して収納できること、安定した状態で保持できること、必要とする道具をスムーズに取り出せること、持ち運びできる大きさであること、という条件を満たす構造であることを主な特徴とする。
【０００５】
この考案は、建物の壁に設けたホルダーに道具を差し込む方法又はフックにぶら下げて収納する方法を道具箱に応用したものである。
【０００６】
具体的には、道具箱内に立てた板（以下、「道具保持板」という。）に、収納する道具の形状に応じたホルダー又はフックを取り付ける。この場合、道具保持板は、道具のぐらつきを防ぐため少し傾斜させる。
【０００７】
上記のほか、電動ドライバー、電動ドリル等については、下から受止めて保持するようにした竪穴式・ボックス型のホルダーを、カンナについては、台頭を下向きにして落とし込んだ状態で保持するようにした竪穴式・ボックス型のホルダーを、それぞれ道具箱の底面に取り付ける。
【０００８】
請求項１に関する考案の内容は、上記のとおりであり、持ち運びできる範囲の大きさの中に、収納する道具の種類及び数に応じてホルダー又はフックを配置する。
【０００９】
請求項２は、請求項１の考案による道具箱の容量を超える数多くの道具を収納できるようにするものである。
【００１０】
具体的には、請求項1の特徴を有する道具箱２個（箱Ａ及び箱Ｂ）を、箱Ａが引き出しの外箱、箱Ｂが引き出しの内箱になる状態で、かつ、水平方向に引き出し叉は押し込みをするようにスライドレールを使って組み合わせる。
【００１１】
箱Ｂの上部には、ホルダーまたはフックによる収納が難しい小道具を入れるためのトレーを設け、箱Ａ及び箱Ｂの道具保持板、ホルダー、フック及びトレーは、それぞれに収納した道具が衝突しないように配置する。
【００１２】
さらに、道具を使用するときは、箱Ｂを箱Ａから引き出すことによって、箱Ｂのトレーや道具保持板に隠れていた箱Ａ側の道具を含めて、全での収納物を見渡すことができるような配置にする。
【００１３】
使用しないときは、箱Ｂを箱Ａの内部に押し込み、箱Ｂが箱Ａから飛び出さないように固定できるようにした形状の蓋を上からかぶせる構造とする。
【００１４】
箱Ａにはキャスターを取り付けて動かしやすくするとともに、取っ手を設けて持ち運びがしやすいようにする。
【考案の効果】
【００１５】
この考案による道具箱は、道具を所定の位置に分別収納することによって全ての収納物を見渡すことができるようにした構造であるため、作業時に必要とする道具をスムーズに取り出すことができるだけでなく、作業中の道具置き場としても使えるため、作業終了後の後片付けが不要になるなど、作業開始時、作業中及び作業終了時を通して大きな効果（迅速化、省力化）ももたらす。
【考案を実施するための最良の形態】
【００１６】
スライドレールのほかは特別な材料を使うこともなく、使いやすくて収納容量の大きい道具箱を安価で実現している。
【図面の簡単な説明】
【００１７】
【図１】請求項１の考案の内容を、道具箱を上から見た状態で示す平面図である。
【図２】請求項１の考案の内容を、道具箱の断面によって示す側面図である。
【図３】請求項２の考案の内容を、箱Ｂを箱Ａから引き出した状態によって、かつ、上から見た平面図によって示すものである。
【図４】請求項２の考案の内容を、箱Ａの中に箱Ｂを押し込んだ状態の断面によって示す側面図である。
【符号の説明】
【００１８】
１    道具箱の側板
２    道具保持板
３    ペンチ用ホルダー
４    ドライバー用ホルダー
５    ノミ、金槌用ホルダー
６    カンナ用ホルダー
７    スパナ用フック
８    ノコ用ホルダー
９    電動ドライバー用ホルダー
１０    道具箱の蓋
１１    取っ手
１２    箱Ａの側板
１３    箱Ａの道具保持板
１４    箱Ａのペンチ用ホルダー
１５    箱Ａのドライバー用ホルダー
１６    箱Ａのノミ、金槌用ホルダー
１７    箱Ａのカンナ用ホルダー
１８    箱Ａのスパナ用フック
１９    箱Ａのノコ用ホルダー
２０    箱Ａの電動ドライバー用ホルダー
２１    箱Ａ及び箱Ｂを接続するスライドレール
２２    箱Ｂの側板
２３    箱Ｂの道具保持板
２４    箱Ｂの差し込み収納用ホルダー
２５    箱Ｂの小道具用トレー
２６    キャスター
【図１】
0003114838.tif 000003
【図２】
0003114838.tif 000004
【図３】
0003114838.tif 000005
【図４】
0003114838.tif 000006
(57)【要約】      （修正有）【課題】電気ストーブにおいて他の暖房機との併用等、室内温度が上昇した場合その室温を感知して自動的に通電制御を行なう、また、一人で首振りを固定して使用する場合は通電制御方法をＯＮ／ＯＦＦ方法にすることにより赤外線の連続照射を防ぎ低温火傷を防止すると共に省エネ効果をあげること。【解決手段】ヒータとヒータを駆動させる駆動部と駆動部を制御する制御部と温度センサーからなり、温度センサーで感知した室温に応じヒータの電力を自動的に制御させるようにした。また、その制御方法を無段階制御とＯＮ／ＯＦＦ間欠制御方式とした。【選択図】図１
0003114831.tif 000002
【実用新案登録請求の範囲】
【請求項１】
ヒータとヒータを駆動させる駆動部と駆動部を制御する制御部と温度センサーからなり、温度センサーで検知した室温に応じてヒータの電力を自動的に制御させることを特徴とする電気ストーブ。
【請求項２】
制御方法は無段階制御である前記電気ストーブ。
【請求項３】
制御方法はＯＮ／ＯＦＦ間欠制御方式である前記電気ストーブ。
【考案の詳細な説明】
【技術分野】
【０００１】  本考案は室内に置いて局所暖房として使用する電気ストーブに関する。
【背景技術】
【０００２】  特公平１１−１１８１５９のように火傷防止の安全装置として連続使用時間を設定しておき、  その後通電を停止又は発熱量を低下させるものがある。
【考案の開示】
【考案が解決しようとする課題】
【０００３】  局部暖房として使用する電気ストーブの場合、エアコン等の他の暖房器具と併用することが多い。カーボンランプヒーター等の電気ストーブは立ち上がりが早いためすぐに温まりたいときに使用する、このとき同時に他の暖房器具を使用するため次第に部屋の温度が上がってくる、この部屋の温度が上がってきた時熱く感じる為電気ストーブのスイッチを切り換えることになる、しかし、この切り換えをすることは煩わしい。【０００４】  また、赤外線放射を皮膚に照射すると居眠りうたた寝をしないでも、机に向かって作業する等手は動いていても足、体等が動かない静止した状態では低温火傷とまではならなくても熱く感じ皮膚の炎症をおこしかゆくなったりする。このとき電気ストーブのスイッチを切り換えて弱にするか、首振り運転をして連続照射を回避しないと熱くて使用を継続できなくなる。ところがこのスイッチ切り換えをすることは煩わしい。【０００５】  また、一人で使用している場合に首振り運転をすると他の余分な場所を暖めエネルギーの無駄を生ずる。
【課題を解決するための手段】
【０００６】  本発明の電気ストーブはヒータとヒータを駆動する駆動部とこの駆動部を制御する制御部と温度センサーからなり、室温に応じて電力を自動制御するものである。【０００７】  また、この通電制御方法は無段階制御であったり、ＯＮ／ＯＦＦ制御であったりする。このＯＮ／ＯＦＦ制御はトライアックを使用した回路であったり、リレーを使用した回路であったりする。リレーを使用した制御の場合リレーの接点寿命からＯＮ／ＯＦＦサイクルは約２分間周期としこの中で通電時間と停止時間を制御するものである。トライアックを使用した回路であれば、首振り運転の回転周期相当の約２５秒を周期としこの中で通電時間と停止時間を制御するものである。【０００８】  また、室温センサー回路を固定抵抗に切り換えることにより室温に関係なく一定時間周期のＯＮ／ＯＦＦ制御することも可能である。【０００９】  ＯＮ／ＯＦＦ制御の周期は首振り運転の周期に合わせることも可能である。
【考案の効果】
【００１０】  ＯＮ／ＯＦＦ制御だけでなく強／弱制御でも目的は達成できる。【００１１】  電気ストーブと他の暖房機を併用して室温が上昇し、電気ストーブの消費電力を弱又は切にスイッチを切り換える必要が生じる、この手動切り換えの煩わしさを自動通電制御により解決できる。また、自動通電制御することにより省エネ効果も期待できる。【００１２】  ＯＮ／ＯＦＦ制御の場合皮膚のある一部分への連続的な赤外線照射をしないことになり、首振り運転をさせたときと同様皮膚に赤外線照射をしない時間ができる。電気ストーブを首振り運転させた場合とＯＮ／ＯＦＦ運転させた場合を比較すると、首振り運転の連続照射に対してＯＮ／ＯＦＦ間欠運転は省エネ効果が期待できる。【００１３】  首振り運転で消費電力９００Ｗのヒータを連続１時間使用した場合の消費電力量は９００Ｗｈ、ＯＮ／ＯＦＦ間欠運転で消費電力９００Ｗのヒータを１分間ＯＮ、１分間ＯＦＦで１時間使用した場合の消費電力量は半分の４５０Ｗｈとなる。
【実施例】
【００１４】  以下本考案を実施例によって詳述する。【００１５】  本電気ストーブはヒータ１とこのヒータを駆動する駆動部２と駆動部を制御する制御部３と室温を感知する温度センサー４からなっている。【００１６】  次に以上の構成における動作について説明する。【００１７】  図２に室温と電気ストーブの通電制御の関係について記す。室温が１０℃以下の場合はヒータへの通電は１００％通電である。室温が２５℃以上ではヒータへの通電は０である。この室温が１０℃から２５℃の間は１５℃で６５％通電、２０℃で２５％通電と変化していく。【００１８】  制御方法はトライアック使用の制御回路では無段階電力制御である。【００１９】  また、リレー及びトライアックを使用した制御回路では図３のようにＴ２は２分間又は２５秒間一定で、Ｔ１は室内温度により可変する値である。
【図面の簡単な説明】
【００２０】
【図１】本考案の構成図
【図２】本考案の室温と通電制御の関係
【図３】本考案の制御回路のヒータの動作タイミング
【図４】本考案の制御回路の室温と通電時間の関係
【図１】
0003114831.tif 000003
【図２】
0003114831.tif 000004
【図３】
0003114831.tif 000005
【図４】
0003114831.tif 000006
(57)【要約】      （修正有）【課題】初期の雑草や、草根株の大きくなった雑草であっても幹根を残さず根こそぎ引き抜く事の出来る草抜き鍬の提供。【解決手段】深く鋭角に切れ込みがある、爪鍬刃（１）と鍬柄基（２）、掘るのを目的とした、鍬刃（３）柄（４）からなる草抜き鍬であって、爪鍬刃（１）と鍬刃（３）は、鍬柄基（２）を軸支点にし柄（４）で、梃子の原理を応用する、反転しやすい形状をなし、初期の雑草や、根株の大きくなった雑草であっても草幹根を残さず根こそぎ引き抜く事の出来手段を講じたものである。【選択図】図１
0003114832.tif 000002
【実用新案登録請求の範囲】
【請求項１】
下記の構成を有する、草抜き鍬。１，深く鋭角に切れ込みがある、爪鍬刃（１）と鍬柄基（２）、掘るのを目的とした、鍬刃（３）と柄（４）からなる。２，爪鍬刃（１）と鍬刃（３）は、鍬柄基（２）を軸支点にして柄（４）で、梃子の原理を応用し、反転を容易にする形状をしている。
【考案の詳細な説明】
【考案の詳細な説明】
【産業及び生活環境上の利用分野】
【０１】本案は、強く大きく伸びた雑草を手軽に早く簡単に草根から引き抜くことが出来る草抜き道具、草抜き鍬に関するものである。
【従来の技術方法】
【０２】従来、草抜きと言うのは直接手で草をつかみ引き抜くか、鎌で草根を切り手で抜くかの作業である、従って根張りの小さい草、地面が柔らかい事などごく限られた場所の雑草になる、その他の条件を持つ雑草は動力草刈払機による刈取り作業となる。何れの場合であつても、草の幹根が残る事が多く雑草が再度芽吹く時は複数の芽吹き其の勢いは凄まじく大きな株となり地面を占有してしまう。
【考案が解決しようとする課題】
【０３】本考案は、初期の雑草や、草根株の大きくなった雑草であっても幹根を残さず根こそぎ引き抜く事の出来る草抜き鍬の提供を目的とするものである。
【０４】    本考案は、上記課題を解決するために、深く鋭角に切れ込みがある、爪鍬刃（１）と鍬柄基（２）、掘るのを目的とした、鍬刃（３）柄（４）からなる草抜き鍬であって、爪鍬刃（１）と鍬刃（３）は、鍬柄基（２）を軸支点にし柄（４）で、梃子の原理を応用する、反転しやすい形状をなし、初期の雑草や、根株の大きくなった雑草であっても草幹根を残さず根こそぎ引き抜く事の出来手段を講じたものである。
【作用】
【０５】本考案は、前述の手段を講じたので、使用に際しては、爪鍬刃（１）の爪先の割れ目に草根や草幹根を充分に食い込ませ使用する必要がある。
【０６】爪鍬刃（１）の爪先の割れ目に草根や幹根を充分に食い込ませるには、鍬爪（３）を使用して草根、草根株、草幹根、の位置を確認する。
【０７】草根、草根株、幹根、の位置を確認出来れば、爪鍬刃（１）の爪先を正確に根に打ち込む。
【０８】正確に根に打ち込めば次に、鍬柄基（２）を軸支点にして柄（４）を、梃子の原理にしたがい反転させる。
【０９】反転させると、爪鍬刃（１）の隙間に草根が挟まり引き抜かれる。
【１０】本考案の作業例として、釘抜きハンマで釘を抜く作業に似た簡単な作業操作である。
【実施例】
【１１】以下、本考案の実施例を図面にしたがつて説明する。【１２】第１図に示すのは、本考案の実施例１、全体図である。【１３】第２図は、第１図全体図のＡ−Ａ矢視図である。【１４】第３図に示すのは、本考案の実施例２、全体図である。【１５】第４図は、第３図全体図のＡ−Ａ矢視図である。【１６】第１図は本考案の実施例１で、爪鍬刃（１）と鍬刃（３）は、鍬柄基（２）を軸支点にして柄（４）で、梃子の原理を応用し、反転を容易にする形状をしている。【１７】第２図は、第１図のＡ−Ａ矢視図で深く鋭角に切れ込みがある、爪鍬刃（１）と鍬柄基（２）、掘るのを目的とした、鍬刃（３）と柄（４）からなる。【１８】第４図Ａ−Ａ矢視図符号▲１▼は、爪鍬刃（１）の３枚又は、複数枚であってもよいことを示す。【１９】第２図及び第４図に示す鍬柄基（２）は、角形又は円形で柄（４）を差込固定できる、鍬柄基（２）の形状は、角形、円形いずれでも良いことを示す。【２０】第１図、第２図の鍬刃（３）は、先が、細く尖っているが鍬柄基（２）に近づくにしたがつて太くなっている。【２１】第３図及び第４図に示す鍬刃（３）は、鍬柄基（２）から刃先まで平たく、刃先に、近づくに従つて広くなっている、但し必ず広くなる必要もなく平行でもよい。【２２】第１図、第３図の柄（４）は、鍬柄基（２）を梃子の軸支点として反転させるので頑強な素材でなければならない。【２３】本考案の実施例図面は、板金溶接作り構造になっているが、鍛造作り、鋳込み作りの何れでもよい。
【考案の効果】
【２４】以上述べたように本考案は、草抜き鍬の爪鍬刃（１）の爪先割れ目を草根、草根株や草幹根の位置に打ち込み、鍬柄基（２）を梃子の軸支点として柄（４）を反転させ、爪鍬刃（１）を起こし草根、草根株や草幹根を簡単に引き抜く事が出来るので、造成緑地公園、路肩、歩道ぎわ、等々でよく見掛ける高く伸びた草や大きな株に成長した草などを楽しく簡単に抜く事が出来る。
【図面の簡単な説明】
【２５】
【第１図】
本考案の実施例１を示す全体図である。
【第２図】
第１図の全体図からの、Ａ−Ａ矢視図である。
【第３図】
本考案の実施例２を示す全体図である。
【第４図】
第３図の全体図からの、Ａ−Ａ矢視図である。
【符号の説明】
【２６】１…爪鍬刃２…鍬柄基３…鍬刃４…柄
【図１】
0003114832.tif 000003
【図２】
0003114832.tif 000004
【図３】
0003114832.tif 000005
【図４】
0003114832.tif 000006
(57)【要約】【課題】ズボンの形状、サイズ等が異なっても着用でき、しかも運動の自由が規制されることがなく、さらに着脱自在の尻あてを提供することである。【解決手段】縦長の長方形シートの下端中央部から長手方向に切込を入れ、左右に分断された部分をそれぞれ左右の大腿部カバーとし、切込のない長方形シートの上部及び中央部をそれぞれ腰部カバー及び尻部カバーとし、腰部カバー，尻部カバー及び大腿部カバーには、それぞれ左右両側端にテープ状の面ファスナーを延出させてなることを特徴とする尻あてである。【選択図】図１
0003114878.tif 000002
【実用新案登録請求の範囲】
【請求項１】
縦長の長方形シートの上部及び中央部をそれぞれ腰部カバー及び尻部カバー、下端部を左右に分断した大腿部カバーとし、腰部カバー，尻部カバー及び左右に分断された大腿部カバーには、それぞれ左右両側端にテープ状の面ファスナーを延出させてなることを特徴とする尻あて。
【請求項２】
縦長の長方形シートの下端部の大腿部カバー部分は、下端中央部から長手方向に切込みを入れ、左右の分断された部分をそれぞれ大腿部カバーとし、左右それぞれの両端にテープ状の面ファスナーを延出させてなることを特徴とする請求項１記載の尻あて。
【考案の詳細な説明】
【技術分野】
【０００１】
本考案は、魚釣りや農作業のときなど、腰や尻などを保温及び保護するための尻あてに関する。
【背景技術】
【０００２】
防水服本体の尻部を被う着脱自在の尻当布が公開されている（例えば、特許文献１参照。）。この尻当布は、その上部と下部に身体への止着紐が設けられ、これらの紐を腰部と大腿部を周回して結び付けて取り付けるため、立ったり腰かけたりする身体の動きで、特に下側の止着紐位置がずれてしまうので、大腿部が締め付けられた両脚の動きが規制されてしまうという欠点があった。
【０００３】
尻当布の少なくとも下側はズボンの大腿部を囲まないように大腿部に着脱自在に止着することを目的とした発明が開示されている。この発明によれば、両脚の動きを規制することがなく楽に動くことができる（例えば、特許文献２参照。）。
【０００４】
しかし、上記発明では、尻当布をズボンに取付けるとき、スボンに設けた止着具と、尻当布に設けた止着具が互に当接して尻当布がズボンに止着されるため、ズボンを取替えると、尻当布もこのズボンに適合したものに取替えなければならないという不便があった。
【０００５】
【特許文献１】実開昭５６−８１９１５号公報
【特許文献２】特開平１０−２５９５１１号公報
【考案の開示】
【考案が解決しようとする課題】
【０００６】
本考案は、ズボンの形状・サイズ等が異なっても着用でき、しかも運動の自由が規制されることがなく、さらに着脱自在の尻あてを提供しようとするものである。
【課題を解決するための手段】
【０００７】
縦長の長方形シートの下端中央部から長手方向に切込を入れ、左右に分断された部分をそれぞれ左右の大腿部カバーとし、切込のない長方形シートの上部及び中央部をそれぞれ腰部カバーと尻部カバーとし、腰部カバー，尻部カバー及び大腿部カバーには、それぞれ左右両側端にテープ状の面ファスナーを延出させてなることを特徴とする尻あてである。
【考案の効果】
【０００８】
本考案の尻あては、農作業や魚釣りに寒さや風よけに利用でき、着脱自在であって、ズボンの形状や寸法に関係なく着用でき、またこの尻あてを着用したときでも運動の自由は規制されない。
また、ハイキングその他のスポーツ・レジャーや屋外の作業等で座るとき、尻部の保護（尻が痛くない、尻が濡れない、ズボンが傷まない）などの効果がある。
【考案を実施するための最良の形態】
【０００９】
本考案の最良の形態を図に基づいて説明する。
図１は本考案の尻あての平面図であり、図２は本考案の尻あてを着用した状態を示す説明図である。
図１において、長方形のシートからなる尻あて本体の下部は、中央に切込５が設けられ、左右に分断されており、それぞれ左右の大腿部カバー３，３となっている。長方形シートの上部と中部はともに切込はなく、それぞれ腰部カバー１，及び尻部カバー２となっている。
【００１０】
腰部カバー１，尻部カバー２，大腿部カバー３，３にはそれぞれ左右両側端にテープ状の面ファスナー４，４…が延出されている。
【００１１】
図２は、本考案の尻あてを着用した状態を示す説明図である。本考案の尻あては、背面から身体を覆う形となり、前面は空いた状態となっているが、テープ状の面ファスナー４，４…は、左右の背面から前方に延出し、身体の前面で左右の面ファスナーは互に止着し、身体に尻あてが装着される。胴まわりや腰まわりが変化しても、面ファスナーの止着位置を変化させて調節することができる。
【００１２】
本考案の尻あてを構成する長方形シートは、例えば発泡ポリウレタンのシートの表面を防水性のシートで被膜したものでもよく、あるいは、その他の柔軟性を有する合成樹脂，弾性と防水性を有するゴム等の材料で作ることができる。
【図面の簡単な説明】
【００１３】
【図１】本考案の尻あての平面図である。
【図２】本考案の尻あてを着用した使用状態を示す説明図である。
【符号の説明】
【００１４】
１  腰部カバー
２  尻部カバー
３  大腿部カバー
４  面ファスナー
５  切込み
【図１】
0003114878.tif 000003
【図２】
0003114878.tif 000004